(57)【要約】【課題】  グランド線の遮蔽電流に影響しない場所にリーダ／ライタのアンテナ配し、静電容量方式のタッチシートと、リーダ／ライタのアンテナとを離して使用しているため、機器の筐体形状が大きくなり設計自由度がないデザインおよび構造となってしまう。【解決手段】  非接触ＩＣカードのアンテナから電波により情報を送信し、前記電波を受信するためのアンテナを有したリーダ／ライタと、指または手により情報を入力するための静電容量スイッチ電極と、該静電容量スイッチ電極を取り囲む様に設けられているグランド線を設け、前記静電容量スイッチ電極のうち、指または手により押圧された静電容量スイッチの情報と、前記非接触ＩＣカードのアンテナから電波により送信した情報とを照合し、認証する認証装置であって、前記静電容量スイッチ電極領域内に１つ以上の非導電部が形成されている静電容量結合方式スイッチのパターン。【選択図】  図１７
2015106284.tif 000002
【特許請求の範囲】
【請求項１】
非接触ＩＣカードのアンテナから電波により情報を送信し、前記電波を受信するためのアンテナを有したリーダ／ライタと、指または手により情報を入力するための静電容量スイッチ電極と、該静電容量スイッチ電極を取り囲む様に設けられているグランド線を設け、前記静電容量スイッチ電極のうち、指または手により押圧された静電容量スイッチの情報と、前記非接触ＩＣカードのアンテナから電波により送信した情報とを照合し、認証する認証装置であって、前記静電容量スイッチ電極領域内に１つ以上の非導電部が形成されていることを特徴とする静電容量結合方式スイッチのパターン。
【請求項２】
前記静電スイッチにおいて、静電容量スイッチ電極を取り囲む様に設けられるグランド線に非導電部が形成されることを特徴とする請求項１記載の静電容量結合方式スイッチのパターン。
【発明の詳細な説明】
【技術分野】
【０００１】
本発明は、非接触ＩＣカードを読み取るためのリーダ／ライタ用のアンテナおよびこれを備えた入力方式に静電容量結合方式を利用した入力装置に関するものである。
【背景技術】
【０００２】
電波を使用して人や物を認識する非接触型の自動認識技術としてＲＦＩＤ（Ｒａｄｉｏ  Ｆｒｅｑｕｅｎｃｙ  Ｉｄｅｎｔｉｆｉｃａｔｉｏｎ「電波による個体識別」の略）が知られ、タグやラベルという形に加工されたアンテナ付ＩＣチップを商品や人に付与し、そのＩＣチップに対して情報の読み取りや書き込みを行うリーダ／ライタを利用して情報をやり取りする。情報をやりとりするためのアンテナは、タグやラベルのＩＣチップ側および情報の読み取りや書き込みを行うリーダ／ライタ側にそれぞれ配され、非接触でリーダ／ライタ側のアンテナから発生する磁界をタグやラベル側のアンテナがとらえ、タグやラベル側のアンテナで得た誘導電流によりタグへ電力を供給し相互間のデータ送信を行う。そのためアンテナは磁界を発生させ誘導電流を流すようにループ状のコイル形状になっている。現在、非接触ＩＣカードもＲＦＩＤと同様の技術を用いており、広義のＲＦＩＤの一種に含まれる。非接触ＩＣカードは乗車カードや電子マネー、社員証やセキュリティロックなど色々な用途があり、ＲＦＩＤは様々な分野で利用される様になった。
【０００３】
また、タッチパネルの入力としては、フィルムの双方に導通性の薄膜を貼り、両者を接して電気が通った場所を感知する抵抗膜方式のタッチスイッチが知られている。現在、タッチ式の入力装置として最も多く使われているのはこの抵抗膜方式である。
【０００４】
従来、前記非接触ＩＣカードのリーダ／ライタおよびアンテナを有するインターフェース機器にタッチスイッチを組み込む場合は、前記の抵抗膜方式のタッチスイッチ（以下シートとする。）が一般的に使用されている。抵抗膜方式を使用する場合は、抵抗膜方式のシートをタッチパネルの表面側に配する必要がある。抵抗膜方式のシートはタッチパネルの表面側に配することで外部に露出してしまい、指が抵抗膜方式のシートの表面に直接触れるため、シートが破損しやすい。そのため、スイッチの入力の誤動作が起きやすく、スイッチの耐久性が劣ってしまう。屋外で使用された場合は、紫外線が直接抵抗膜方式のシートに当たるため、シートの変形、変色、劣化等があり耐候性が劣ってしまうのが現状である。
【０００５】
また、抵抗膜方式のタッチスイッチのシートがタッチパネルの表面に配しなければならず、シートの通信線を隠すための縁スペースをタッチ部の周囲に設ける必要があるため、タッチパネル周りのデザインの制約を受けてしまうのが現状である。
【０００６】
これらに対し、前記非接触ＩＣカードのリーダ／ライタおよびアンテナを有するインターフェース機器に静電容量方式のタッチシートを使用すれば、タッチシートをタッチパネルの裏面側に配して、タッチパネルの表面側で指の接触を検知できるため、前記の耐久性、耐候性、縁スペースの問題を解消できる。従来の静電容量方式のタッチシートの技術としては、特許文献１記載のものが挙げられる。
【０００７】
静電容量結合方式を利用した入力装置として、従来から、タッチスイッチが知られている。静電容量結合方式のタッチスイッチは、パネルスイッチと制御基板から構成される。パネルスイッチは、通常フィルム（一般としてはポリエチレンステレフタートフィルム：ＰＥＴフィルムが使用されている。）の表面にスイッチ電極として銀ペースト、または、ＩＴＯ（酸化インジウムスズ）等を印刷した電極フィルムを、アクリルやガラス及び樹脂等の絶縁基材に接着剤（両面テープ等）で貼り合わせたもので構成される。
【０００８】
スイッチ電極に指または手が近づくと、スイッチ電極と指または手との間に平行板コンデンサが形成され静電容量が発生する。この静電容量の変化をコンデンサＣと抵抗Ｒとで形成するＣ／Ｆ変換回路（静電容量Ｃを周波数Ｆに変換する回路）で周波数に変換し、その周波数をインプットキャプチャ機能（周波数の数を数える機能）でデジタルデータに置き換え、演算処理によりタッチスイッチのオン／オフ状態を判断する。スイッチ電極が複数個の場合、スイッチ電極の選択は、個々のスイッチ電極分設けた切換回路により行う。
【０００９】
静電容量結合方式を利用したタッチスイッチは、指または手が触れることのできる領域をスイッチ電極とし、指または手がそのスイッチ電極に近づいたことを検出するものであり、タッチスイッチのオン／オフを検出するデジタル入力装置である。
【００１０】
静電容量方式のタッチシートとＲＦＩＤとを組み合わせた従来技術としては、特許文献２記載のものが挙げられる。
【先行技術文献】
【特許文献】
【００１１】
【特許文献１】特開２００５−０８４９８２
【特許文献２】特開２０１１−２９４７
【発明の開示】
【発明が解決しようとする課題】
【００１２】
静電容量方式のタッチシートは、グランドに接続されたループ状の閉回路（以下、グランド線とする。）がスイッチ電極を囲うようにタッチシートの外周に配されたものが多く用いられている。前記でも記載したが、前記非接触ＩＣカードおよびリーダ／ライタのアンテナは磁界を発生させ誘導電流を流すようにループ状のコイル形状になっている。グランド線とリーダ／ライタのアンテナが近接してレイアウトされると、リーダ／ライタのアンテナの磁界によりグランド線には、リーダ／ライタのアンテナの磁界を打ち消すような誘導電流（この誘導電流のことを遮蔽電流と言う。）が流れる。この遮蔽電流がリーダ／ライタのアンテナからのデータ信号を含む磁束を阻害する要因となり得る。そのため同じ場所に静電容量方式のタッチシートと、非接触ＩＣカードおよびリーダ／ライタのアンテナとを配し有する機器への組み込みには、ほとんど用いられていないのが実状である。
【００１３】
そこで、非接触ＩＣカードのリーダ／ライタおよびアンテナを有するインターフェース機器に静電容量方式のタッチシートを組み込む場合は、前記グランド線の遮蔽電流に影響しない場所にリーダ／ライタのアンテナ配し、静電容量方式のタッチシートと、リーダ／ライタのアンテナとを離して使用しているのが現状である。そのため、機器の筐体形状が大きくなり設計自由度がないデザインおよび構造となってしまう。そのため、昨今小型化を要求される機器等が増え、小型化を要求される機器への対応は難しいのが現状である。
【００１４】
前記、特許文献２はタッチシート側からの影響により、ＲＦＩＤのアンテナの通信感度が低下したことを課題とした技術であり、ＲＦＩＤのアンテナの内側にタッチシートを配した上で、ＲＦＩＤのアンテナの角度を傾斜させる構造が記載されている。この構造では、タッチシートの周りにＲＦＩＤのアンテナを配する構造のため、ＲＦＩＤのアンテナの大型化、および機器の筐体のパネル面積の大型化を招き、ＲＦＩＤのアンテナを傾斜配置させることから、機器の筐体の奥行き寸法も厚くなってしまう。特に液晶パネルとタッチセンサーとを積層させて、パネル表示部全体を配するための縁スペースならびに厚さが必要となり、機器の筐体形状の設計自由度が低下しやすい構造となってしまう。
【課題を解決するための手段】
【００１５】
非接触ＩＣカードのアンテナから電波により情報を送信し、前記電波を受信するためのアンテナを有したリーダ／ライタと、指または手により情報を入力するための静電容量スイッチ電極と、該静電容量スイッチ電極を取り囲む様に設けられているグランド線を設け、前記静電容量スイッチ電極のうち、指または手により押圧された静電容量スイッチの情報と、前記非接触ＩＣカードのアンテナから電波により送信した情報とを照合し、認証する認証装置であって、前記静電容量スイッチ電極領域内に１つ以上の非導電部が形成されていることを第一の要旨とし、前記静電容量スイッチ電極を取り囲む様に設けられているグランド線に非導電部が形成されることを第二の要旨とした静電容量結合方式スイッチのパターンを提案するものである。
【発明の効果】
【００１６】
本発明では、非接触ＩＣカードのリーダ／ライタおよびアンテナを有するインターフェース機器に静電容量方式のタッチシートを組み込む場合は、静電容量方式のスイッチ電極およびスイッチ電極を取り囲むグランド線に対し、前記スイッチ電極においてはスイッチ電極の領域内に１つ以上の非導電部を形成することで、また前記スイッチ電極を取り囲むグランド線においてはグランド線に閉ループをなくすための非導電部を形成することで、前記非接触ＩＣカードのリーダ／ライタのアンテナよりの無線電波による遮蔽電流を意識することなく配することができるため機器筐体形状に自由度をもたせ、機器の形状を小さくすることができる。
【図面の簡単な説明】
【００１７】
【図１】タッチスイッチ構成図
【図２】タッチスイッチ動作図
【図３】非接触ＩＣカードの情報読み取り図
【図４】構成図
【図５】スイッチ電極とグランド図
【図６】スイッチ電極（非導電部有り）とグランド線図
【図７】スイッチ電極とグランド線（非導電部有り）
【図８】スイッチ電極（非導電部有り）とグランド線（非導電部有り）図
【図９】スイッチ電極形状寸法図１
【図１０】非接触ＩＣカードの情報読み取り構造図
【図１１】口形状図
【図１２】田形状図
【図１３】矩形波形状図
【図１４】スイッチ電極形状寸法図２
【図１５】口形状図
【図１６】田形状図
【図１７】矩形波形状図
【図１８】全面口形状図
【発明を実施するための形態】
【００１８】
図１を用いて静電容量方式のスイッチの構成について説明する。本発明の静電容量結合方式のタッチスイッチは、パネルスイッチ１と制御基板２から構成される。パネルスイッチ１は、通常フィルム（一般としてはポリエチレンステレフタートフィルム：ＰＥＴフィルムが使用されている。）の表面にスイッチ電極３およびスイッチ電極３の周りを囲むグランド線４として、銀ペーストまたはＩＴＯ（酸化インジウムスズ）等を印刷した電極フィルム、またはガラスエポキシ基板の表面にスイッチ電極３およびスイッチ電極３の周りを囲むグランド線４として、銅エッチングした基材を、アクリル５やガラス及び樹脂等の絶縁基材に接着剤６（両面テープ等）で貼り合わせたもので構成される。
【００１９】
図２を用いて静電容量方式のスイッチ動作について説明する。スイッチ電極３に指または手７が近づくと、スイッチ電極３と指または手７との間に平行板コンデンサが形成され静電容量８が発生する。この静電容量８の変化をコンデンサＣ９と抵抗Ｒ１０とで形成するＣ／Ｆ変換回路（静電容量Ｃを周波数Ｆに変換する回路）で周波数に変換し、その周波数をインプットキャプチャ１１機能（周波数の数を数える機能）でデジタルデータに置き換え、演算処理１２によりタッチスイッチのオン／オフ状態を判断する。スイッチ電極３が複数個の場合、スイッチ電極３の選択は、個々のスイッチ電極３分設けた切換回路１３
により行う。
【００２０】
図３を用いて非接触ＩＣカード１４の情報読み取りについて説明する。非接触ＩＣカード１４は、情報の保持および無線を通じて情報の制御を行うＩＣチップ１５と通信を行うためのアンテナ１６とで構成され、また、リーダ／ライタ１７は非接触ＩＣカード１４と無線を通じて通信を行うためのアンテナ１６および制御をおこなうための制御基板１８より構成される。非接触ＩＣカード１４にはＩＣチップ１５があり、そのＩＣチップ１５の情報は、読み取りや書き込みができるリーダ／ライタ１７を利用して行う。情報をやりとりするためのアンテナ１６は、非接触ＩＣカード１４内およびリーダ／ライタ１７内にそれぞれ配され、リーダ／ライタ１７内のアンテナ１６から発生する磁界１９を非接触ＩＣカード１４内のアンテナ１６がとらえ、非接触ＩＣカード１４内のアンテナ１６で得た誘導電流２０によりＩＣチップ１５へ電力を供給し相互間のデータ送受信を行う。そのためアンテナ１６は磁界１９を発生させ誘導電流２０を流すようにループ状のコイル形状になっている。
【００２１】
図４を用いて、静電容量方式のスイッチと、非接触ＩＣカード１４およびリーダ／ライタ１７の構成について説明する。図１で説明した静電容量方式のタッチスイッチは、図３で説明した非接触ＩＣカード１４とリーダ／ライタ１７の間に配し、静電容量方式のアクリル５の表面よりスイッチは指または手７で、スイッチ電極３に触れることでスイッチのＯＮ／ＯＦＦの動作を行い、非接触ＩＣカード１４は、アクリル５の裏面側に配したリーダ／ライタ１７のアンテナ１６の位置に合わせることで非接触ＩＣカード１４内のＩＣチップ１５との情報の送受信を行う。
【００２２】
本発明のスイッチ電極３は指または手７が触れることができる領域があればどの様な形状でも実現可能である。ここではスイッチの形状を四角形状として説明する。
【００２３】
図５は通常のスイッチ電極３とグランド線４の図で、スイッチ電極３の領域全面がパターンでその周りをグランド線４で囲まれた構成の例である。
【００２４】
図６はスイッチ電極３に１個以上の非導電部２３があるパターンでその周りをグランド線４で囲まれた構成の例である。
【００２５】
図７はスイッチ電極３の領域全面がパターンで、その周りを囲まれたグランド線４の１部に非導電部２３が施された構成の例である。
【００２６】
図８はスイッチ電極３に１個以上の非導電部２３があるパターンで、その周りを囲まれたグランド線４の１部に非導電部２３が施された構成の例である。
【実施例】
【００２７】
以下、実施例及び比較例により、本発明を説明する。本発明は、以下の実施例に限定されるものでなく、本発明の技術範囲において、種々の変形例を含むものである。
【００２８】
（実施例１）
図９を用いて説明する。パネルスイッチ１は、ＰＥＴフィルム２１の表面に銀ペーストを印刷したスイッチ電極３を用い、スイッチ電極３の形状および寸法は、人の指または手７が触れることができる１０×１０ｍｍの正方形とした。スイッチ電極３の周りには、１ｍｍ幅のパターン幅で１５×１５ｍｍの正方形で囲うようにグランド線４を設けた。
図１０を用いて説明する。スイッチ電極３の数は、リーダ／ライタ１７のアンテナ１６がスイッチ電極３で覆われるように横３個、縦３個の計９個とした。前記ＰＥＴフィルム２１の表面に１ｍｍ厚のアクリル５を置き、ＰＥＴフィルム２１の裏面にはリーダ／ライタ１７（ソニー株式会社製のＲＣ−Ｓ３８０）を前記９個のスイッチ電極３で囲まれる位置に置く構造とした。
非接触ＩＣカード１４のデータの読み取りは、前記リーダ／ライタ１７をパソコンにＵＳＢ接続し、ソフトウェア（ソニー株式会社製のＳＦＣａｒｄ  Ｖｉｅｗｅｒ２）を使用した。また、試験用の読み取りカードは、非接触ＩＣカード１４（テスト用のフェリカカード（「ＦＥＬＩＣＡ」は、ソニー株式会社の登録商標））を使用した。
【００２９】
前記の条件で、スイッチ電極３は１ｍｍ幅のパターンの１０×１０ｍｍの正方形で、内側に電極パターンがない口の形とした形状（図１１）とし、リーダ／ライタ１７に非接触ＩＣカード１４を翳し、前記アクリル５の表面より非接触ＩＣカード１４のデータが読み取れる距離２２を確認した。
【００３０】
（実施例２）
実施例１の条件で、スイッチ電極３は、１ｍｍ幅の１０×１０ｍｍの正方形で、内側に電極パターンがない田の形とした形状（図１２）とし、リーダ／ライタ１７に非接触ＩＣカード１４を翳し、前記アクリル５の表面より非接触ＩＣカード１４のデータが読み取れる距離２２を確認した。
【００３１】
（実施例３）
実施例１の条件で、スイッチ電極３は、１０×１０ｍｍの正方形の領域において、１ｍｍ幅のパターンで、内側に電極パターンがない矩形波とした形状（図１３）とし、リーダ／ライタ１７に非接触ＩＣカード１４を翳し、前記アクリル５の表面より非接触ＩＣカード１４のデータが読み取れる距離２２を確認した。
【００３２】
（実施例４）
実施例１の条件で、スイッチ電極３の形状は、１ｍｍ幅の１０×１０ｍｍの正方形で、正方形全面をパターンとし、スイッチ電極３の周りを１ｍｍ幅のグランド線４で囲み、そのグランド線４の１箇所に１ｍｍ幅の非導電部を入れた形状（図１４）とし、リーダ／ライタ１７に非接触ＩＣカード１４を翳し、前記アクリル５の表面より非接触ＩＣカード１４のデータが読み取れる距離２２を確認した。
【００３３】
（実施例５）
実施例１の条件で、スイッチ電極３は１０×１０ｍｍの正方形の領域において、正方形全面をパターンとした口の形とした形状で、スイッチ電極３の周りを１ｍｍ幅のグランド線４で囲み、そのグランド線４の１箇所に１ｍｍ幅の非導電部２３を入れた形状（図１５）とし、リーダ／ライタ１７に非接触ＩＣカード１４を翳し、前記アクリル５の表面より非接触ＩＣカード１４のデータが読み取れる距離２２を確認した。
【００３４】
（実施例６）
実施例１の条件で、スイッチ電極３は、１ｍｍ幅の１０×１０ｍｍの正方形で、内側に電極パターンがない田の形とした形状で、スイッチ電極３の周りを１ｍｍ幅のグランド線４で囲み、そのグランド線４の１箇所に１ｍｍ幅の非導電部２３を入れた形状（図１６）とし、リーダ／ライタ１７に非接触ＩＣカード１４を翳し、前記アクリル５の表面より非接触ＩＣカード１４のデータが読み取れる距離２２を確認した。
【００３５】
（実施例７）
実施例１の条件で、スイッチ電極３は、１０×１０ｍｍの正方形の領域において、１ｍｍ幅のパターンで、内側に電極パターンがない矩形波とした形状で、スイッチ電極３の周りを１ｍｍ幅のグランド線４で囲み、そのグランド線４の１箇所に１ｍｍ幅の非導電部２３を入れた形状（図１７）とし、リーダ／ライタ１７に非接触ＩＣカード１４を翳し、前記アクリル５の表面より非接触ＩＣカード１４のデータが読み取れる距離２２を確認した。
【００３６】
（比較例１）
実施例１の条件で、スイッチ電極３は、形状１０×１０ｍｍの正方形の領域において、正方形全面をパターンとし、スイッチ電極３の周りには、１ｍｍ幅のパターン幅で１５×１５ｍｍの正方形で囲うようにグランド線４を設けた形状（図１８）とし、リーダ／ライタ１７に非接触ＩＣカード１４を翳し、前記アクリル５の表面より非接触ＩＣカード１４のデータが読み取れる距離２２を確認した。
【００３７】
【表１】
2015106284.tif 000003
【００３８】
表１の結果より実施例１〜７は、非接触ＩＣカード１４のデータの読み取れる距離２２が比較例１に比べ長くなることが確認された。一方、比較例１は非接触ＩＣカード１４のデータを読み取れる距離２２が一番短くなることが確認された。
【００３９】
実施例１〜３はスイッチ電極３の内側に電極パターンが抜けていることで、無線の磁界１９を阻害する場所が少なくなるため読み取れる距離２２が長くなる。また、実施例４はグランド線４が１部切れてループになっていないため、無線の磁界１９を阻害する遮蔽電流が発生しないことで比較例１より読み取れる距離２２が長くなった。
【００４０】
実施例５〜７はスイッチ電極３の内側に電極パターンが抜けていること、およびグランド線４が１部切れてループにはならず、グランド線４には遮蔽電流が流れないことで実施例１〜３より読み取れる距離２２が長くなった。特に実施例７は非接触ＩＣカード１４のデータを読み取り距離２２が最も長くなった結果が得られた。
【００４１】
（実施例８）
次に、図１０で説明した構成で、リーダ／ライタ１７を他社の製品に変え、同様の試験を実施した。ＰＥＴフィルム２１の裏面にはリーダ／ライタ１７のアンテナ１６（ジーエルサイエンス株式会社製のＴＭ０２−Ｃ−５Ｖ）を置く構造とした。
非接触ＩＣカード１４のデータの読み取り確認は、前記リーダ／ライタ１７をパソコンにシリアルインターフェース接続し、ソフトウェア（ジーエルサイエンス株式会社製のＴＺ０１−ＤＳＥＴ）を使用した。また、試験用の読み取りカードは、非接触ＩＣカード１４（テスト用のフェリカカード（「ＦＥＬＩＣＡ」は、ソニー株式会社の登録商標））を使用した。
【００４２】
前記の条件で、スイッチ電極３は１ｍｍ幅のパターンの１０×１０ｍｍの正方形で、内側に電極パターンがない口の形とした形状（図１１）とし、スイッチ電極３の周りには、１ｍｍ幅のパターン幅で１５×１５ｍｍの正方形で囲うようにグランド線４を設けた。リーダ／ライタ１７に非接触ＩＣカード１４を翳し、前記アクリル５の表面より非接触ＩＣカード１４のデータが読み取れる距離２２を確認した。
【００４３】
（実施例９）
実施例８の条件で、スイッチ電極は３、１ｍｍ幅の１０×１０ｍｍの正方形で、内側に電極パターンがない田の形とした形状（図１２）とし、リーダ／ライタ１７に非接触ＩＣカード１４を翳し、前記アクリル５の表面より非接触ＩＣカード１４のデータが読み取れる距離２２を確認した。
【００４４】
（実施例１０）
実施例８の条件で、スイッチ電極３は、１０×１０ｍｍの正方形の領域において、１ｍｍ幅のパターンで、内側に電極パターンがない矩形波とした形状（図１３）とし、リーダ／ライタ１７に非接触ＩＣカード１４を翳し、前記アクリル５の表面より非接触ＩＣカード１４のデータが読み取れる距離２２を確認した。
【００４５】
（実施例１１）
実施例８の条件で、スイッチ電極３形状は、１ｍｍ幅の１０×１０ｍｍの正方形で、正方形全面をパターンとし、スイッチ電極３の周りを１ｍｍ幅のグランド線４で囲み、そのグランド線４の１箇所に１ｍｍ幅の非導電部２３を入れた形状（図１４）とし、リーダ／ライタ１７に非接触ＩＣカード１４を翳し、前記アクリル５の表面より非接触ＩＣカード１４のデータが読み取れる距離２２を確認した。
【００４６】
（実施例１２）
実施例８の条件で、スイッチ電極３は、１０×１０ｍｍの正方形の領域において、正方形全面をパターンとした口の形とした形状で、スイッチ電極３の周りを１ｍｍ幅のグランド線４で囲み、そのグランド線４の１箇所に１ｍｍ幅の非導電部２３を入れた形状（図１５）とし、リーダ／ライタ１７に非接触ＩＣカード１４を翳し、前記アクリル５の表面より非接触ＩＣカード１４のデータが読み取れる距離２２を確認した。
【００４７】
（実施例１３）
実施例８の条件で、スイッチ電極３は、１ｍｍ幅の１０×１０ｍｍの正方形で、内側に電極パターンがない田の形とした形状で、スイッチ電極３の周りを１ｍｍ幅のグランド線４で囲み、そのグランド線４の１箇所に１ｍｍ幅の非導電部２３を入れた形状（図１６）とし、リーダ／ライタ１７に非接触ＩＣカード１４を翳し、前記アクリル５の表面より非接触ＩＣカード１４のデータが読み取れる距離２２を確認した。
【００４８】
（実施例１４）
実施例８の条件で、スイッチ電極３は、１０×１０ｍｍの正方形の領域において、１ｍｍ幅のパターンで、内側に電極パターンがない矩形波とした形状で、スイッチ電極３の周りを１ｍｍ幅のグランド線４で囲み、そのグランド線４の１箇所に１ｍｍ幅の非導電部２３を入れた形状（図１７）とし、リーダ／ライタ１７に非接触ＩＣカード１４を翳し、前記アクリル５の表面より非接触ＩＣカード１４のデータが読み取れる距離２２を確認した。
【００４９】
（比較例２）
実施例８の条件で、スイッチ電極３は、形状１０×１０ｍｍの正方形の領域において、正方形全面をパターンとし、スイッチ電極３の周りには、１ｍｍ幅のパターン幅で１５×１５ｍｍの正方形で囲うようにグランド線４を設けた形状（図１８）とし、リーダ／ライタ１７に非接触ＩＣカード１４を翳し、前記アクリル５の表面より非接触ＩＣカード１４のデータが読み取れる距離２２を確認した。
【００５０】
【表２】
2015106284.tif 000004
【００５１】
表２の結果より実施例８〜１４は、非接触ＩＣカード１４のデータを読み取れる距離２２が、比較例２に比べ長くなることが確認された。一方、比較例２は非接触ＩＣカード１４のデータを読み取れる距離２２が一番短くなることが確認された。
【００５２】
実施例８〜１０はスイッチ電極３の内側に電極パターンが抜けていることで、無線の磁界１９を阻害する場所が少なくなるため読み取れる距離２２が長くなる。また、実施例１１はグランド線４が１部切れてループになっていないため、無線の磁界１９を阻害する遮蔽電流が発生しないことで比較例２より読み取れる距離２２が長くなった。
【００５３】
実施例１２〜１４はスイッチ電極３の内側に電極パターンが抜けていること、およびグランド線４が１部切れてループにはならず、グランド線４には遮蔽電流が流れないことで実施例８〜１０より読み取れる距離２２が長くなった。特に実施例１４は非接触ＩＣカード１４のデータの読み取れる距離２２が最も長くなった結果が得られた。
【００５４】
表１および表２の結果より、リーダ／ライタ１７の機器を変えて試験を行ったが非接触ＩＣカード１４のデータを読み取れる距離２２に対しては同じ結果が得られた。さらに、前記スイッチ電極３の形状を四角より丸の形に変え同じ試験を実施したが、読み取れる距離２２に対しては、実施例１〜１４と同等であった。また、パネルスイッチ１をフィルム素材の他に、銅箔を用いたガラスエポキシ基板に変えて同じ試験を実施してみたが、非接触ＩＣカード１４のデータを読み取れる距離２２に対する結果は実施例１〜１４と同等であった。
【符号の説明】
【００５５】
１    パネルスイッチ
２    制御基板
３    スイッチ電極
４    グランド線
５    アクリル
６    接着剤  
７    指または手
８    静電容量
９    コンデンサＣ
１０    抵抗Ｒ
１１    インプットキャプチャ
１２    演算処理
１３    切換回路
１４    非接触ＩＣカード
１５    ＩＣチップ
１６    アンテナ
１７    リーダ／ライタ
１８    制御基板
１９    磁界
２０    誘導電流
２１    ＰＥＴフィルム
２２    読み取れる距離
２３    非導電部
【図１】
2015106284.tif 000005
【図２】
2015106284.tif 000006
【図３】
2015106284.tif 000007
【図４】
2015106284.tif 000008
【図５】
2015106284.tif 000009
【図６】
2015106284.tif 000010
【図７】
2015106284.tif 000011
【図８】
2015106284.tif 000012
【図９】
2015106284.tif 000013
【図１０】
2015106284.tif 000014
【図１１】
2015106284.tif 000015
【図１２】
2015106284.tif 000016
【図１３】
2015106284.tif 000017
【図１４】
2015106284.tif 000018
【図１５】
2015106284.tif 000019
【図１６】
2015106284.tif 000020
【図１７】
2015106284.tif 000021
【図１８】
2015106284.tif 000022